(57)【要約】【課題】  液晶表示パネルの切替時における電荷のロスを防止し、切替時間を短縮する。【解決手段】  第１のモードでは、スイッチＳＷ１，ＳＷ２がオンになる。また、スイッチＳＷ５，ＳＷ６が交互にオン／オフになることによって、出力端子１０５Ｍは、平滑容量Ｃ１０４−１に蓄積された電荷に応じた電圧（駆動電圧ＶＣＯＭＨ）および平滑容量Ｃ１０４−２に蓄積された電荷に応じた電圧（駆動電圧ＶＣＯＭＬ）を交互に出力する。一方、第２のモードでは、スイッチＳＷ３，ＳＷ４がオンになる。また、スイッチＳＷ５，ＳＷ６が交互にオン／オフになることによって、出力端子１０５Ｍは、平滑容量Ｃ１０４−３に蓄積された電荷に応じた電圧（駆動電圧ＶＣＯＭＨ）および平滑容量Ｃ１０４−４に蓄積された電荷に応じた電圧（駆動電圧ＶＣＯＭＬ）を交互に出力する。【選択図】  図１
2005293553.tif 000002
【特許請求の範囲】
【請求項１】
第１のモードと第２のモードとを有する駆動電圧制御装置であって、
第１の容量と、第２の容量と、第３の容量と、第４の容量と、出力部とを備え、
前記第１のモードでは、
前記第１の容量は、
第１の電圧を受け、当該第１の電圧の電圧値に応じた電荷を蓄積し、
前記第２の容量は、
第２の電圧を受け、当該第２の電圧の電圧値に応じた電荷を蓄積し、
前記出力部は、
所定のタイミングに応じて、前記第１の容量に蓄積された電荷の電荷量に応じた電圧と前記第２の容量に蓄積された電荷の電荷量に応じた電圧とのうちいずれか一方を第１の出力ノードに供給し、
前記第２のモードでは、
前記第３の容量は、
第３の電圧を受け、当該第３の電圧の電圧値に応じた電荷を蓄積し、
前記第４の容量は、
第４の電圧を受け、当該第４の電圧の電圧値に応じた電荷を蓄積し、
前記出力部は、
所定のタイミングに応じて、前記第３の容量に蓄積された電荷の電荷量に応じた電圧と前記第４の容量に蓄積された電荷の電荷量に応じた電圧とのうちいずれか一方を第２の出力ノードに供給する、
ことを特徴とする駆動電圧制御装置。
【請求項２】
請求項１において、
電圧生成部を、さらに備え、
前記第１のモードでは、
前記電圧生成部は、前記第１および第２の電圧を生成し、
前記第１の容量は、前記電圧生成部によって生成された第１の電圧を受け、
前記第２の容量は、前記電圧生成部によって生成された第２の電圧を受け、
前記第２のモードでは、
前記電圧生成部は、前記第３および第４の電圧を生成し、
前記第３の容量は、前記電圧生成部によって生成された第３の電圧を受け、
前記第４の容量は、前記電圧生成部によって生成された第４の電圧を受ける、
ことを特徴とする駆動電圧制御装置。
【請求項３】
請求項２において、
第１の差動増幅回路と、第２の差動増幅回路とを、さらに備え、
前記第１のモードでは、
前記第１の差動増幅回路は、前記電圧生成部によって生成された第１の電圧を出力し、
前記第２の差動増幅回路は、前記電圧生成部によって生成された第２の電圧を出力し、
前記第１の容量は、前記第１の差動増幅回路によって出力された第１の電圧を受け、
前記第２の容量は、前記第２の差動増幅回路によって出力された第２の電圧を受け、
前記第２のモードでは、
前記第１の差動増幅回路は、前記電圧生成部によって生成された第３の電圧を出力し、
前記第２の差動増幅回路は、前記電圧生成部によって生成された第４の電圧を出力し、
前記第３の容量は、前記第１の差動増幅回路によって出力された第３の電圧を受け、
前記第４の容量は、前記第２の差動増幅回路によって出力された第４の電圧を受ける、
ことを特徴とする駆動電圧制御装置。
【請求項４】
請求項２において、
前記電圧生成部は、
第１の供給端子と、第２の供給端子とを含み、
前記駆動電圧制御装置は、
前記第１の供給端子と前記第１の容量との間に接続される第１のスイッチと、
前記第２の供給端子と前記第２の容量との間に接続される第２のスイッチと、
前記第１の供給端子と前記第３の容量との間に接続される第３のスイッチと、
前記第２の供給端子と前記第４の容量との間に接続される第４のスイッチとを、さらに備え、
前記第１のモードでは、
前記第１の供給端子は、前記第１の電圧を出力し、
前記第２の供給端子は、前記第２の電圧を出力し、
前記第１および第２のスイッチは、オンになり、
前記第３および第４のスイッチは、オフになり、
前記第２のモードでは、
前記第１の供給端子は、前記第３の電圧を出力し、
前記第２の供給端子は、前記第４の電圧を出力し、
前記第１および第２のスイッチは、オフになり、
前記第３および第４のスイッチは、オンになる、
ことを特徴とする駆動電圧制御装置。
【請求項５】
請求項４において、
前記駆動電圧制御装置は、
第１のモードと第２のモードとを切り替えるときに、切替モードになり、
前記切替モードでは、
前記第１〜第４のスイッチは、すべてオフになる、
ことを特徴とする駆動電圧制御装置。
【請求項６】
請求項１において、
前記出力部は、さらに、
前記第１のモードでは、
前記第１の容量に蓄積された電荷の電荷量に応じた電圧および前記第２の容量に蓄積された電荷の電荷量に応じた電圧のうちいずれか一方を前記第２の出力ノードに供給する、
ことを特徴とする駆動電圧制御装置。
【請求項７】
請求項１において、
前記出力部は、さらに、
前記第１のモードでは、
前記第３の容量に蓄積された電荷の電荷量に応じた電圧および前記第４の容量に蓄積された電荷の電荷量に応じた電圧のうちいずれか一方を前記第２の出力ノードに供給する、
ことを特徴とする駆動電圧制御装置。
【請求項８】
請求項４において、
第１のノード，第２のノード，および前記第１のノードと前記第２のノードとの間に存在する第３〜第６のノードを有する第１の配線と、
第７のノード，第８のノード，および前記第７のノードと前記第８のノードとの間に存在する第９〜第１２のノードを有する第２の配線とを、さらに備え、
前記出力部は、
前記第３のノードと前記第１の出力ノードとの間に接続される第５のスイッチと、
前記第９のノードと前記第１の出力ノードとの間に接続される第６のスイッチと、
前記第４のノードと前記第２の出力ノードとの間に接続される第７のスイッチと、
前記第１０のノードと前記第２の出力ノードとの間に接続される第８のスイッチとを含み、
前記第１の供給端子は、前記第１のノードに接続され、
前記第２の供給端子は、前記第７のノードに接続され、
前記第１のスイッチは、前記第５のノードと前記第１の容量との間に接続され、
前記第２のスイッチは、前記第１１のノードと前記第２の容量との間に接続され、
前記第３のスイッチは、前記第６のノードと前記第３の容量との間に接続され、
前記第４のスイッチは、前記第１２のノードと前記第４の容量との間に接続され、
前記第１のモードでは、さらに
所定のタイミングに応じて、前記第５および第６のスイッチはオン／オフになり、
前記第２のモードでは、さらに、
所定のタイミングに応じて、前記第７および第８のスイッチはオン／オフになる、
ことを特徴とする駆動電圧制御装置。
【請求項９】
請求項８において、
前記第１のモードでは、さらに、
前記第７のスイッチおよび第８のスイッチのうちいずれか一方はオンになる、
ことを特徴とする駆動電圧制御装置。
【請求項１０】
請求項８において、
前記第３の容量および前記第４の容量のうちいずれか一方と前記第２の出力ノードとの間に接続される第９のスイッチを、さらに備え、
前記第１のモードでは、
前記第９のスイッチは、オンになり、
前記第２のモードでは、
前記第９のスイッチは、オフになる、
ことを特徴とする駆動電圧制御装置。
【請求項１１】
請求項１に記載の駆動電圧制御装置と、
前記駆動電圧制御装置に含まれる前記第１の出力ノードに供給された電圧を対向電極に受ける第１の表示パネルと、
前記第１の表示パネルにデータ信号を供給する第１のソースドライバと、
前記駆動電圧制御装置に含まれる前記第２の出力ノードに供給された電圧を対向電極に受ける第２の表示パネルと、
前記第２の表示パネルにデータ信号を供給する第２のソースドライバとを備える、
ことを特徴とする表示装置。
【請求項１２】
第１の表示パネルおよび第２の表示パネルの各々の対向電極に対して所定の電圧を供給する駆動電圧制御装置であって、
前記駆動電圧制御装置は、
第１のモードと第２のモードとを有し、
第１の容量と、第２の容量と、第３の容量と、第４の容量と、出力部とを備え、
前記第１のモードでは、
前記第１の容量は、
外部から第１の電圧を受け、当該第１の電圧の電圧値に応じた電荷を蓄積し、
前記第２の容量は、
外部から第２の電圧を受け、当該第２の電圧の電圧値に応じた電荷を蓄積し、
前記出力部は、
所定のタイミングに応じて、前記第１の容量に蓄積された電荷の電荷量に応じた電圧と前記第２の容量に蓄積された電荷の電荷量に応じた電圧とのうちいずれか一方を前記第１の表示パネルの対向電極に供給し、
前記第２のモードでは、
前記第３の容量は、
外部から第３の電圧を受け、当該第３の電圧の電圧値に応じた電荷を蓄積し、
前記第４の容量は、
外部から第４の電圧を受け、当該第４の電圧の電圧値に応じた電荷を蓄積し、
前記出力部は、
所定のタイミングに応じて、前記第３の容量に蓄積された電荷の電荷量に応じた電圧と前記第４の容量に蓄積された電荷の電荷量に応じた電圧とのうちいずれか一方を前記第２の表示パネルの対向電極に供給する、
ことを特徴とする駆動電圧制御装置。
【請求項１３】
第１のモードと第２のモードとを有する駆動電圧制御方法であって、
工程（ａ）と、工程（ｂ）、工程（ｃ）とを備え、
前記第１のモードのときには、
前記工程（ａ）では、第１の容量に第１の電圧を与え、
前記工程（ｂ）では、第２の容量に第２の電圧を与え、
前記工程（ｃ）では、所定のタイミングに応じて、前記第１の容量に蓄積された電荷の電荷量に応じた電圧と前記第２の容量に蓄積された電荷の電荷量に応じた電圧とのうちいずれか一方を第１の出力ノードに供給し、
前記第２のモードのときには、
前記工程（ａ）では、第３の容量に第３の電圧を与え、
前記工程（ｂ）では、第４の容量に第４の電圧を与え、
前記工程（ｃ）では、所定のタイミングに応じて、前記第３の容量に蓄積された電荷の電荷量に応じた電圧と前記第４の容量に蓄積された電荷の電荷量に応じた電圧とのうちいずれか一方を第２の出力ノードに供給する、
ことを特徴とする駆動電圧制御方法。
【請求項１４】
請求項１３において、
工程（ｄ）をさらに備え、
前記第１のモードのときには、
前記工程（ｄ）では、
前記第１の容量に蓄積された電荷の電荷量に応じた電圧と前記第２の容量に蓄積された電荷の電荷量に応じた電圧とのうちいずれか一方を前記第２の出力ノードに供給する、
ことを特徴とする駆動電圧制御方法。
【請求項１５】
請求項１３において、
工程（ｄ）をさらに備え、
前記第１のモードのときには、
前記工程（ｄ）では、
前記第３の容量に蓄積された電荷の電荷量に応じた電圧と前記第４の容量に蓄積された電荷の電荷量に応じた電圧とのうちいずれか一方を前記第２の出力ノードに供給する、
ことを特徴とする駆動電圧制御方法。
【発明の詳細な説明】
【技術分野】
【０００１】
本発明は、駆動電圧を制御する装置および方法に関し、さらに詳しくは、複数の装置（例えば、液晶表示パネル）の各々の適した駆動電圧を出力する装置および方法に関する。
【背景技術】
【０００２】
従来、オペアンプのバイアス電流を制御することによって消費電力の低減を図り、かつ、回路の面積を削減することでコストの増加を抑えた駆動電圧制御装置が知られている（例えば、特開２００３−２１６２５６号公報参照）。この文献に記載された駆動電圧制御装置を用いれば、単体の液晶表示パネルを好適に駆動することが可能である。
【０００３】
一方、特に携帯電話などに代表される携帯機器では、１つの製品に複数の液晶表示パネルを備えたものが増加してきている。このような製品の場合、液晶表示パネルの各々に対して最適な駆動電圧を供給する必要があるので、従来は複数の液晶表示パネルに対応する複数の駆動電圧制御装置が搭載されている。
【０００４】
しかし、例えば表と裏とに１枚ずつ液晶画面を有する携帯電話のように、メインとなる液晶画面（メイン液晶表示パネル）とサブとなる液晶画面（サブ液晶表示パネル）とを同時に視認することができる必要が無くどちらか一方の液晶画面を視認できればいい場合がある。このような場合には、複数の液晶表示パネルに各々に対応する複数の駆動電圧制御装置を搭載する構成よりも、複数の液晶表示パネルのうち視認する液晶表示パネルに対してのみ最適な駆動電圧を供給することができる駆動電圧制御装置を備えている構成のほうが、コスト面からも好ましい。
【０００５】
＜従来の駆動電圧制御装置＞
従来の駆動電圧制御装置９の全体構成を図１０に示す。この装置９は、タイミング制御部９０１と、ＶＣＯＭ電圧生成部９０２と、ＶＣＯＭＨ用オペアンプ９０３Ｈと、ＶＣＯＭＬ用オペアンプ９０３Ｌと、平滑容量Ｃ９０４−Ｈ，Ｃ９０４−Ｌと、スイッチＳＷ５〜ＳＷ８と、出力端子９０５Ｍ，９０５Ｓとを備える。この装置９は、メイン液晶表示パネルおよびサブ液晶表示パネルの各々の対向電極（図示せず）に対して最適な駆動電圧ＶＣＯＭＨ，ＶＣＯＭＬを供給する（２系統の駆動電圧ＶＣＯＭＨ，ＶＣＯＭＬを生成する）。駆動電圧ＶＣＯＭＨ，ＶＣＯＭＬは、メイン液晶表示パネルおよびサブ液晶表示パネルの各々の対向電極の駆動に利用される電圧である。
【０００６】
ＶＣＯＭ電圧生成部９０２は、タイミング制御部９０１から出力された制御信号Ｓａ，Ｓｂに応じて、駆動電圧ＶＣＯＭＨ，ＶＣＯＭＬを生成する。また、ＶＣＯＭ電圧生成部９０２は、例えば、ＲＤＡＣ（Resistance Digital Analog Converter）であり、図２のように構成される。
【０００７】
平滑容量Ｃ９０４−Ｈ，Ｃ９０４−Ｌは、数μＦ（マイクロファラド）の容量値を有している。
【０００８】
＜動作＞
次に、図１０に示した駆動電圧制御装置９による動作について図４，図１１を参照しつつ簡単に説明する。
【０００９】
〔期間Ｔ１〜Ｔ４〕
期間Ｔ１〜Ｔ４において、駆動電圧制御装置９は、メイン液晶表示パネルの対向電極に出力すべき駆動電圧ＶＣＯＭＨ，ＶＣＯＭＬを制御する。
【００１０】
タイミング制御部９０１は、状態指示信号ＳＴＡＴＥを受けて、ＶＣＯＭ電圧生成部９０２に制御信号Ｓａ，Ｓｂを出力するとともに制御信号Ｓ７を「Ｈレベル」にし制御信号Ｓ８を「Ｌレベル」にする。タイミング制御信号Ｓａには、ＶＣＯＭ電圧生成部９０２が生成すべき駆動電圧ＶＣＯＭＨの電圧値が示されている。また、制御信号Ｓｂには、ＶＣＯＭ電圧生成部９０２が生成すべき駆動電圧ＶＣＯＭＬの電圧値が示されている。ここで、期間Ｔ１〜４において、制御信号Ｓａは電圧値「＋３Ｖ」を示し制御信号Ｓｂは電圧値「−３Ｖ」を示すものとする。
【００１１】
次に、ＶＣＯＭ電圧生成部９０２は、制御信号Ｓａ，Ｓｂに応じた駆動電圧ＶＣＯＭＨ，ＶＣＯＭＬを生成する。
【００１２】
次に、ＶＣＯＭＨ用オペアンプ９０３Ｈは、ＶＣＯＭ電圧生成部９０２によって生成された駆動電圧ＶＣＯＭＨを出力する。一方、ＶＣＯＭＬ用オペアンプ９０３Ｌは、ＶＣＯＭ電圧生成部９０２によって生成された駆動電圧ＶＣＯＭＬを出力する。よって、平滑容量Ｃ９０４−Ｈは駆動電圧ＶＣＯＭＨの電圧値（＋３Ｖ）に応じた電荷を蓄積し、平滑容量Ｃ９０４−Ｌは駆動電圧ＶＣＯＭＬの電圧値（−３Ｖ）に応じた電荷を蓄積する。
【００１３】
また、タイミング制御部９０１は、タイミング信号ＴＩＭＩＮＧに応じて、制御信号Ｓ５，Ｓ６を交互に「Ｈレベル」にする。よって、出力端子９０５Ｍの出力は、図１１（Ａ）のように、「−３Ｖ」，「＋３Ｖ」と１つの期間毎に切り替わる。
【００１４】
〔期間Ｔ６〜Ｔ９〕
期間Ｔ６〜Ｔ９において、駆動電圧制御装置９は、サブ液晶表示パネルの対向電極に出力すべき駆動電圧ＶＣＯＭＨ，ＶＣＯＭＬを制御する。
【００１５】
タイミング制御部９０１は、状態指示信号ＳＴＡＴＥを受けて、ＶＣＯＭ電圧生成部９０２に制御信号Ｓａ，Ｓｂを出力するとともに制御信号Ｓ５を「Ｈレベル」にし制御信号Ｓ６を「Ｌレベル」にする。ここで、期間Ｔ６〜９において、制御信号Ｓａは電圧値「＋２Ｖ」を示し制御信号Ｓｂは電圧値「−２．５Ｖ」を示すものとする。
【００１６】
次に、ＶＣＯＭ電圧生成部９０２，ＶＣＯＭＨ用オペアンプ９０３Ｈ，ＶＣＯＭＬ用オペアンプ９０３Ｌは、期間Ｔ１〜Ｔ４における動作と同様の動作を行う。これにより、平滑容量Ｃ９０４−Ｈは駆動電圧ＶＣＯＭＨの電圧値（＋２Ｖ）に応じた電荷を蓄積し、平滑容量Ｃ９０４−Ｌは駆動電圧ＶＣＯＭＬの電圧値（−２．５Ｖ）に応じた電荷を蓄積する。
【００１７】
また、タイミング制御部９０１は、タイミング信号ＴＩＭＩＮＧに応じて、制御信号Ｓ７，Ｓ８を交互に「Ｈレベル」にする。よって、出力端子９０５Ｓの出力は、図１１（Ｂ）のように、「−２．５Ｖ」，「＋２Ｖ」と１つの期間毎に切り替わる。
【００１８】
〔期間Ｔ５〕
期間Ｔ５では、タイミング制御部９０１は、「サブ液晶表示パネル駆動」を示す状態指示信号ＳＴＡＴＥを新たに受けて、制御信号Ｓａ，Ｓｂを変更する。つまり、制御信号Ｓａに示される電圧値は「＋３Ｖ」から「＋２Ｖ」に変更され、制御信号Ｓｂに示される電圧値は「−３Ｖ」から「−２．５Ｖ」に変更される。これにより、ＶＣＯＭ電圧生成部９０２によって生成される駆動電圧ＶＣＯＭＨ，ＶＣＯＭＬの電圧値は、変更される。
【００１９】
このようにして、従来の駆動電圧制御装置９は、メイン液晶表示パネルおよびサブ液晶表示パネルの各々の対向電極に対して駆動電圧ＶＣＯＭＨ，ＶＣＯＭＬを供給する。
ＶＣＯＭＬを生成する。
【特許文献１】特開２００３−２１６２５６号公報（図１）
【発明の開示】
【発明が解決しようとする課題】
【００２０】
しかしながら、図１０に示した従来の駆動電圧制御装置９では、メイン液晶表示パネル駆動処理からサブ液晶表示パネル駆動処理に切り替わる期間（期間Ｔ５）において、平滑容量Ｃ１０４−Ｈは、駆動電圧ＶＣＯＭＨ（＋３Ｖ）と接地ノード（ＧＮＤ）との電位差（３Ｖ）に相当する電荷を保持している状態から、駆動電圧（＋２Ｖ）と接地ノード（ＧＮＤ）との電位差（２Ｖ）に相当する電荷を保持している状態へ移行することになる。すなわち、電圧差（１Ｖ）に相当する電荷が放電する。また、サブ液晶表示パネル駆動処理からメイン液晶表示パネル駆動処理に切り替わる期間において、平滑容量Ｃ１０４−Ｈに対して電圧差（１Ｖ）に相当する電荷を充電する必要がある。
【００２１】
また、液晶パネルの表示に必要な制約から、通常、スイッチＳＷ５〜ＳＷ８のオン／オフの切替は、３０〜１００μｓ（マイクロ秒）毎に行なわれる。さらに、上述したように平滑容量Ｃ１０４−Ｈ，Ｃ１０４−Ｌは、数μＦの容量値を有している（ここでは、代表的な数値として、４．７μＦとする）。よって、１Ｖに相当する電荷の充放電を３０μｓ内に行なうためには、ＶＣＯＭＨ用オペアンプ９０３Ｈ，ＶＣＯＭＬ用オペアンプ９０３Ｌが１００ｍＡを超えるような電流能力を有していることが必要である。この場合、これらのオペアンプ９０３Ｈ，９０３Ｌに含まれる電流駆動用のトランジスタのサイズを大きくする必要があり、駆動電圧制御装置を搭載する液晶表示装置の実装面積を大きくする原因となる。
【００２２】
さらに、従来の駆動電圧制御装置９では、１Ｖに相当する電荷の充放電が必要であるので、電荷のロスが非常に大きい。例えば、平滑容量Ｃ９０４−Ｈの容量値が１μＦでありメイン液晶表示パネルの負荷容量Ｃ（Ｍ）の容量値が２０ｎＦであるとすると、メイン液晶表示パネルを交流化駆動（例えば、ライン対向反転駆動）するときに消費される電荷が１２０ｎＣ（ナノクーロン）であるのに対して、メイン液晶表示パネル駆動処理とサブ液晶表示パネル駆動処理とを切り替えるときに消費される電荷は１μＣとなる。このように、１０倍程度の電荷を余分に消費することとなり、駆動電圧制御装置９を搭載する液晶表示ドライバの消費電力を増大させてしまう。
【課題を解決するための手段】
【００２３】
この発明の１つの局面に従うと、駆動電圧制御装置は、第１のモードと第２のモードとを有する。駆動電圧制御装置は、第１の容量と、第２の容量と、第３の容量と、第４の容量と、出力部とを備える。第１のモードでは、第１の容量は、第１の電圧を受け、その第１の電圧の電圧値に応じた電荷を蓄積する。第２の容量は、第２の電圧を受け、その第２の電圧の電圧値に応じた電荷を蓄積する。出力部は、所定のタイミングに応じて、第１の容量に蓄積された電荷の電荷量に応じた電圧と第２の容量に蓄積された電荷の電荷量に応じた電圧とのうちいずれか一方を第１の出力ノードに供給する。第２のモードでは、第３の容量は、第３の電圧を受け、その第３の電圧の電圧値に応じた電荷を蓄積する。第４の容量は、第４の電圧を受け、その第４の電圧の電圧値に応じた電荷を蓄積する。出力部は、所定のタイミングに応じて、第３の容量に蓄積された電荷の電荷量に応じた電圧と第４の容量に蓄積された電荷の電荷量に応じた電圧とのうちいずれか一方を第２の出力ノードに供給する。
【００２４】
上記駆動電圧制御装置では、２つの駆動対象があるとすると、第１のモードのときには一方の駆動対象（装置Ａ）に対してその装置Ａに適した電圧値を有する２つの電圧（第１の電圧，第２の電圧）を供給することができ、第２のモードのときには他方の駆動対象（装置Ｂ）に対してその装置Ｂに適した電圧値を有する２つの電圧（第３の電圧，第４の電圧）を供給することができる。このように、駆動対象の各々に対して最適な電圧を供給することができる。また、第１のモードにおいて使用される容量（第１の容量，第２の容量）と第２のモードにおいて使用される容量（第３の容量，第４の容量）とが異なるので、モード毎に第１〜第４の容量の各々を充放電する必要がない。これにより、モード切替時における電荷の無駄な消費をなくすことができる。さらに、モード毎に第１〜第４の容量の各々を充放電する必要がないので、第１のモードと第２のモードとの切替を迅速に行うことができる。
【００２５】
好ましくは、上記駆動電圧制御装置は、電圧生成部を、さらに備える。上記第１のモードでは、電圧生成部は、上記第１および第２の電圧を生成する。上記第１の容量は、電圧生成部によって生成された第１の電圧を受ける。上記第２の容量は、電圧生成部によって生成された第２の電圧を受ける。上記第２のモードでは、電圧生成部は、上記第３および第４の電圧を生成する。上記第３の容量は、電圧生成部によって生成された第３の電圧を受ける。上記第４の容量は、電圧生成部によって生成された第４の電圧を受ける。
【００２６】
上記駆動電圧制御装置では、電圧生成部は、生成する電圧の電圧値をモード毎に変更する。よって、第１〜第４の電圧を第１〜第４の容量に適宜与えることができる。
【００２７】
好ましくは、上記駆動電圧制御装置は、第１の差動増幅回路と、第２の差動増幅回路とを、さらに備える。上記第１のモードでは、第１の差動増幅回路は、上記電圧生成部によって生成された第１の電圧を出力する。上記第２の差動増幅回路は、上記電圧生成部によって生成された第２の電圧を出力する。上記第１の容量は、第１の差動増幅回路によって出力された第１の電圧を受ける。上記第２の容量は、上記第２の差動増幅回路によって出力された第２の電圧を受ける。上記第２のモードでは、第１の差動増幅回路は、上記電圧生成部によって生成された第３の電圧を出力する。第２の差動増幅回路は、上記電圧生成部によって生成された第４の電圧を出力する。上記第３の容量は、第１の差動増幅回路によって出力された第３の電圧を受ける。上記第４の容量は、上記第２の差動増幅回路によって出力された第４の電圧を受ける。
【００２８】
上記駆動電圧制御装置では、第１の差動増幅回路によって第１の電圧（または第３の電圧）を第１の容量（または第３の容量）に安定して供給することができる。また、第２の差動増幅回路によって第２の電圧（または第４の電圧）を第２の容量（または第４の容量）に安定して供給することができる。
【００２９】
好ましくは、上記電圧生成部は、第１の供給端子と、第２の供給端子とを含む。上記駆動電圧制御装置は、第１のスイッチと、第２のスイッチと、第３のスイッチと、第４のスイッチとをさらに備える。第１のスイッチは、第１の供給端子と上記第１の容量との間に接続される。第２のスイッチは、第２の供給端子と上記第２の容量との間に接続される。第３のスイッチは、第１の供給端子と上記第３の容量との間に接続される。第４のスイッチは、第２の供給端子と上記第４の容量との間に接続される。上記第１のモードでは、第１の供給端子は、上記第１の電圧を出力する。第２の供給端子は、上記第２の電圧を出力する。第１および第２のスイッチは、オンになる。第３および第４のスイッチは、オフになる。上記第２のモードでは、第１の供給端子は、上記第３の電圧を出力する。第２の供給端子は、上記第４の電圧を出力する。第１および第２のスイッチは、オフになる。第３および第４のスイッチは、オンになる。
【００３０】
上記駆動電圧制御装置では、第１のモードでは第３の容量（または第４の容量）は第１の供給端子（または第２の供給端子）から切り離され、第２のモードでは第１の容量（または第２の容量）は第１の供給端子（または第２の供給端子）切り離される。このように、第１〜第４の容量は電荷を蓄積したまま切り離されるので、モード毎に第１〜第４の容量の各々を充放電する必要がない。これにより、モード切替時における電荷の無駄な消費をなくすことができる。さらに、モード毎に第１〜第４の容量の各々を充放電する必要がないので、第１のモードと第２のモードとの切替を迅速に行うことができる。
【００３１】
好ましくは、上記駆動電圧制御装置は、第１のモードと第２のモードとを切り替えるときに、切替モードになる。切替モードでは、上記第１〜第４のスイッチは、すべてオフになる。
【００３２】
上記駆動電圧制御装置では、第１〜第４の容量のうちすべてを電圧生成部から切り離すことによって、第１〜第４の容量の各々に蓄積された電荷が充放電する経路を確実に切断することができる。
【００３３】
好ましくは、上記出力部は、さらに、上記第１のモードでは、上記第１の容量に蓄積された電荷の電荷量に応じた電圧および上記第２の容量に蓄積された電荷の電荷量に応じた電圧のうちいずれか一方を上記第２の出力ノードに供給する。
【００３４】
上記駆動電圧制御装置では、第１のモードにおいて駆動対象となる装置Ａに対してその装置Ａに適した電圧値を有する第１の電圧および第２の電圧を供給し、かつ、第１のモードにおいて駆動対象とならない装置Ｂに対して第１の電圧（または第２の電圧）を供給する。これにより、装置Ｂの電位を第１の電圧（または第２の電圧）によって固定することができる。例えば、装置Ｂが液晶表示パネルである場合、駆動していない表示パネルにおける視覚上の違和感を低減することができる。
【００３５】
好ましくは、上記出力部は、さらに、上記第１のモードでは、上記第３の容量に蓄積された電荷の電荷量に応じた電圧および上記第４の容量に蓄積された電荷の電荷量に応じた電圧のうちいずれか一方を上記第２の出力ノードに供給する。
【００３６】
上記駆動電圧制御装置では、第１のモードにおいて駆動対象となる装置Ａに対してその装置Ａに適した電圧値を有する第１の電圧および第２の電圧を供給し、かつ、第１のモードにおいて駆動対象とならない装置Ｂに対して第３の電圧（または第４の電圧）を供給する。これにより、装置Ｂの電位をその装置Ｂに適した電圧値を有する第３の電圧（または第４の電圧）によって固定することができる。例えば、装置Ｂが液晶表示パネルである場合、駆動していない表示パネルにおける視覚上の違和感を低減することができる。
【００３７】
好ましくは、上記駆動電圧制御装置は、第１の配線と、第２の配線とを、さらに備える。第１の配線は、第１〜第６のノードを有する。第３〜第６のノードは、第１のノードと第２のノードとの間に存在する。第２の配線は、第７〜第１２のノードを有する。第９〜第１２のノードは、第７のノードと第８のノードとの間に存在する。上記出力部は、第５のスイッチと、第６のスイッチと、第７のスイッチと、第８のスイッチとを含む。第５のスイッチは、第３のノードと上記第１の出力ノードとの間に接続される。第６のスイッチは、第９のノードと上記第１の出力ノードとの間に接続される。第７のスイッチは、第４のノードと上記第２の出力ノードとの間に接続される。第８のスイッチは、第１０のノードと上記第２の出力ノードとの間に接続される。上記第１の供給端子は、上記第１のノードに接続される。上記第２の供給端子は、上記第７のノードに接続される。上記第１のスイッチは、第５のノードと上記第１の容量との間に接続される。上記第２のスイッチは、第１１のノードと上記第２の容量との間に接続される。上記第３のスイッチは、第６のノードと上記第３の容量との間に接続される。上記第４のスイッチは、第１２のノードと上記第４の容量との間に接続される。上記第１のモードでは、所定のタイミングに応じて、第５および第６のスイッチの各々はオン／オフになる。上記第２のモードでは、所定のタイミングに応じて、第７および第８のスイッチの各々はオン／オフになる。
【００３８】
好ましくは、上記第１のモードでは、上記第７のスイッチおよび第８のスイッチのうちいずれか一方はオンになる。
【００３９】
好ましくは、上記駆動電圧制御装置は、第９のスイッチを、さらに備える。第９のスイッチは、上記第３の容量および上記第４の容量のうちいずれか一方と上記第２の出力ノードとの間に接続される。上記第１のモードでは、上記第９のスイッチは、オンになる。上記第２のモードでは、上記第９のスイッチは、オフになる。
【００４０】
この発明のもう１つの局面に従うと、表示装置は、上記駆動電圧制御装置と、第１の表示パネルと、第１のソースドライバと、第２の表示パネルと、第２のソースドライバとを備える。第１の表示パネルは、上記駆動電圧制御装置に含まれる上記第１の出力ノードに供給された電圧を対向電極に受ける。第１のソースドライバは、第１の表示パネルにデータ信号を供給する。第２の表示パネルは、上記駆動電圧制御装置に含まれる上記第２の出力ノードに供給された電圧を対向電極に受ける。第２のソースドライバは、第２の表示パネルにデータ信号を供給する。
【００４１】
上記表示装置では、１つの駆動電圧制御装置によって２つの表示パネルを駆動することができる。これにより、表示装置の回路規模を低減することができる。
【００４２】
この発明のさらにもう１つの局面に従うと、駆動電圧制御装置は、第１の表示パネルおよび第２の表示パネルの各々の対向電極に対して所定の電圧を供給する。駆動電圧制御装置は、第１のモードと第２のモードとを有する。駆動電圧制御装置は、第１の容量と、第２の容量と、第３の容量と、第４の容量と、出力部とを備える。第１のモードでは、第１の容量は、第１の電圧を受け、その第１の電圧の電圧値に応じた電荷を蓄積する。第２の容量は、第２の電圧を受け、その第２の電圧の電圧値に応じた電荷を蓄積する。出力部は、所定のタイミングに応じて、第１の容量に蓄積された電荷の電荷量に応じた電圧と第２の容量に蓄積された電荷の電荷量に応じた電圧とのうちいずれか一方を第１の表示パネルの対向電極に供給する。第２のモードでは、第３の容量は、第３の電圧を受け、その第３の電圧の電圧値に応じた電荷を蓄積する。第４の容量は、第４の電圧を受け、その第４の電圧の電圧値に応じた電荷を蓄積する。出力部は、所定のタイミングに応じて、第３の容量に蓄積された電荷の電荷量に応じた電圧と第４の容量に蓄積された電荷の電荷量に応じた電圧とのうちいずれか一方を第２の表示パネルの対向電極に供給する。
【００４３】
この発明のさらにもう１つの局面に従うと、駆動電圧制御方法は、第１のモードと第２のモードとを有する。駆動電圧制御方法は、工程（ａ）と、工程（ｂ）、工程（ｃ）とを備える。第１のモードのときには、工程（ａ）では、第１の容量に第１の電圧を与える。工程（ｂ）では、第２の容量に第２の電圧を与える。工程（ｃ）では、所定のタイミングに応じて、上記第１の容量に蓄積された電荷の電荷量に応じた電圧と上記第２の容量に蓄積された電荷の電荷量に応じた電圧とのうちいずれか一方を第１の出力ノードに供給する。第２のモードのときには、工程（ａ）では、第３の容量に第３の電圧を与える。工程（ｂ）では、第４の容量に第４の電圧を与える。工程（ｃ）では、所定のタイミングに応じて、上記第３の容量に蓄積された電荷の電荷量に応じた電圧と上記第４の容量に蓄積された電荷の電荷量に応じた電圧とのうちいずれか一方を第２の出力ノードに供給する。
【００４４】
上記駆動電圧制御方法では、２つの駆動対象があるとすると、第１のモードでは一方の駆動対象（装置Ａ）に対してその装置Ａに適した電圧値を有する第１の電圧または第２の電圧を供給することができ、第２のモードでは他方の駆動対象（装置Ｂ）に対してその装置Ｂに適した電圧値を有する第３の電圧または第４の電圧を供給することができる。また、第１のモードにおいて使用する容量（第１の容量，第２の容量）と第２のモードにおいて使用する容量（第３の容量，第４の容量）とが異なるので、モード切替時における電荷の無駄な消費をなくすことができる。
【００４５】
好ましくは、上記駆動電圧制御方法は、工程（ｄ）を、さらに備える。上記第１のモードのときには、工程（ｄ）では、上記第１の容量に蓄積された電荷の電荷量に応じた電圧と上記第２の容量に蓄積された電荷の電荷量に応じた電圧とのうちいずれか一方を上記第２の出力ノードに供給する。
【００４６】
好ましくは、上記駆動電圧制御方法は、工程（ｄ）を、さらに備える。上記第１のモードのときには、工程（ｄ）では、上記第３の容量に蓄積された電荷の電荷量に応じた電圧と上記第４の容量に蓄積された電荷の電荷量に応じた電圧とのうちいずれか一方を上記第２の出力ノードに供給する。
【発明の効果】
【００４７】
以上のように、本発明による駆動電圧制御装置は、駆動対象の各々に対して最適な電圧を供給することができる。また、第１のモードにおいて使用される容量（第１の容量，第２の容量）と第２のモードにおいて使用される容量（第３の容量，第４の容量）とが異なるので、モード毎に第１〜第４の容量の各々を充放電する必要がない。これにより、モード切替時における電荷の無駄な消費をなくすことができる。さらに、モード毎に第１〜第４の容量の各々を充放電する必要がないので、第１のモードと第２のモードとの切替を迅速に行うことができる。
【発明を実施するための最良の形態】
【００４８】
以下、この発明の実施の形態を図面を参照して詳しく説明する。なお、図中同一または相当部分には同一の符号を付しその説明は繰り返さない。
【００４９】
（第１の実施形態）
＜全体構成＞
この発明の第１の実施形態による駆動電圧制御装置１の全体構成を図１に示す。この装置１は、タイミング制御部１０１と、ＶＣＯＭ電圧生成部１０２と、ＶＣＯＭＨ用オペアンプ１０３Ｈと、ＶＣＯＭＬ用オペアンプ１０３Ｌと、スイッチＳＷ１〜ＳＷ８と、出力端子１０５Ｍ，１０５Ｓと、メイン用平滑容量Ｃ１０４−１，Ｃ１０４−２と、サブ用平滑容量Ｃ１０４−３，Ｃ１０４−４とを備える。この装置１は、メイン液晶表示パネルおよびサブ液晶表示パネルの各々を交流化駆動（例えば、ライン対向反転駆動）するための駆動電圧ＶＣＯＭＨ，ＶＣＯＭＬを制御する。例えば、２つの液晶画面（メイン液晶表示パネル，サブ液晶表示パネル）を有する携帯電話において、駆動電圧制御装置１は、メイン液晶表示パネルの対向電極およびサブ液晶表示パネルの対向電極に駆動電圧ＶＣＯＭＨ，ＶＣＯＭＬを供給する（２系統の駆動電圧ＶＣＯＭＨ，ＶＣＯＭＬを出力する）。
【００５０】
タイミング制御部１０１は、外部から状態指示信号ＳＴＡＴＥ，タイミング信号ＴＩＭＩＮＧを受け、制御信号Ｓａ，Ｓｂ，Ｓ１〜Ｓ４を出力する。状態指示信号ＳＴＡＴＥは、メイン液晶表示パネルおよびサブ液晶表示パネルのうちどちらを駆動すべきかを示す。タイミング信号ＴＩＭＩＮＧは、制御信号Ｓ５〜Ｓ８の電圧レベルを「Ｈレベル」から「Ｌレベル」に切り替える（または、制御信号Ｓ５〜Ｓ８の電圧レベルを「Ｌレベル」から「Ｈレベル」に切り替える）タイミングを示す。制御信号Ｓａは、ＶＣＯＭ電圧生成部１０２が生成すべき駆動電圧ＶＣＯＭＨの電圧値を示す。制御信号Ｓｂは、ＶＣＯＭ電圧生成部１０２が生成すべき駆動電圧ＶＣＯＭＬの電圧値を示す。
【００５１】
ＶＣＯＭ電圧生成部１０２は、タイミング制御部１０１から出力された制御信号Ｓａに応じた電圧値を有する駆動電圧ＶＣＯＭＨを生成する。また、ＶＣＯＭ電圧生成部１０２は、タイミング制御部１０１から出力された制御信号Ｓｂに応じた電圧値を有する駆動電圧ＶＣＯＭＬを生成する。
【００５２】
ＶＣＯＭＨ用オペアンプ１０３Ｈは、ボルテージフォロー回路を構成しており、ＶＣＯＭ電圧生成部１０２によって生成された駆動電圧ＶＣＯＭＨを出力する。ＶＣＯＭＬ用オペアンプ１０３Ｌは、ボルテージフォロー回路を構成しており、ＶＣＯＭ電圧生成部１０２によって生成された駆動電圧ＶＣＯＭＬを出力する。ボルテージフォロー回路を設けることによって、ＶＣＯＭ電圧生成部１０２から供給される駆動電圧ＶＣＯＭＨ，ＶＣＯＭＬを後段の回路（平滑容量Ｃ１０４−１〜Ｃ１０４−４等）に安定して供給することができる。
【００５３】
スイッチＳＷ１およびメイン用平滑容量Ｃ１０４−１は、ノードＮ１０４−１と接地ノードとの間に直列に接続される。ノードＮ１０４−１は、一端がＶＣＯＭＨ用オペアンプの出力端子に接続された配線Ｌ１０１Ｈに存在する。スイッチＳＷ１は、ノードＮ１０４−１とメイン用平滑容量Ｃ１０４−１との間に接続される。メイン用平滑容量Ｃ１０４−１は、スイッチＳＷ１と接地ノードとの間に接続される。
【００５４】
スイッチＳＷ２およびメイン用平滑容量Ｃ１０４−２は、ノードＮ１０４−２と接地ノードとの間に直列に接続される。ノードＮ１０４−２は、一端がＶＣＯＭＬ用オペアンプ１０３Ｌの出力端子に接続された配線Ｌ１０１Ｌに存在する。スイッチＳＷ２は、ノードＮ１０４−２とメイン用平滑容量Ｃ１０４−２との間に接続される。メイン用平滑容量Ｃ１０４−２は、スイッチＳＷ２と接地ノードとの間に接続される。
【００５５】
スイッチＳＷ３およびサブ用平滑容量Ｃ１０４−３は、ノードＮ１０４−３と接地ノードとの間に直列に接続される。ノードＮ１０４−３は、配線Ｌ１０１Ｈに存在する。スイッチＳＷ３は、ノードＮ１０４−３とサブ用平滑容量Ｃ１０４−３との間に接続される。サブ用平滑容量Ｃ１０４−３は、スイッチＳＷ３と接地ノードとの間に接続される。
【００５６】
スイッチＳＷ４およびサブ用平滑容量Ｃ１０４−４は、ノードＮ１０４−４と接地ノードとの間に直列に接続される。ノードＮ１０４−４は、配線Ｌ１０１Ｌに存在する。スイッチＳＷ４は、ノードＮ１０４−４とサブ用平滑容量Ｃ１０４−４との間に接続される。サブ用平滑容量Ｃ１０４−４は、スイッチＳＷ４と接地ノードとの間に接続される。
【００５７】
メイン用平滑容量Ｃ１０４−１，Ｃ１０４−２およびサブ用平滑容量Ｃ１０４−３，Ｃ１０４−４の各々は、一端が接地ノードに接続されており、他端に受ける電圧の電圧値と接地ノードの電圧値との差に応じた電荷を蓄積する。
【００５８】
スイッチＳＷ１〜ＳＷ４の各々は、タイミング制御部１０１からの制御信号Ｓ１〜Ｓ４が「Ｈレベル」であるときにはオンになり、制御信号Ｓ１〜Ｓ４が「Ｌレベル」であるときにはオフになる。
【００５９】
スイッチＳＷ５は、配線Ｌ１０１Ｈに存在するノードＮ１０１Ｈと出力端子１０５Ｍとの間に接続される。スイッチＳＷ６は、配線Ｌ１０１Ｌに存在するノードＮ１０１Ｌと出力端子１０５Ｍの間に接続される。スイッチＳＷ７は、配線Ｌ１０１Ｈに存在するノードＮ１０１Ｈと出力端子１０５Ｓとの間に接続される。スイッチＳＷ８は、配線Ｌ１０１Ｌに存在するノードＮ１０１Ｌと出力端子１０５Ｓとの間に接続される。
【００６０】
スイッチＳＷ５〜ＳＷ８の各々は、タイミング制御部１０１からの制御信号Ｓ５〜Ｓ８が「Ｈレベル」であるときにはオンになり、制御信号Ｓ５〜Ｓ８が「Ｌレベル」であるときにはオフになる。
【００６１】
出力端子１０５Ｍは、ノードＮ１０１Ｈの電位（駆動電圧ＶＣＯＭＨ）またはノードＮ１０１Ｌの電位（駆動電圧ＶＣＯＭＬ）をメイン液晶表示パネルの対向電極（図示せず）に供給する。出力端子１０５Ｓは、ノードＮ１０１Ｈの電位またはノードＮ１０１Ｌの電位をサブ液晶表示パネルの対向電極（図示せず）に供給する。
【００６２】
なお、メイン液晶表示パネルは、負荷容量Ｃ（Ｍ）を有する。また、サブ液晶表示パネルは、負荷容量Ｃ（Ｓ）を有する。
【００６３】
また、ここでは、メイン用平滑容量Ｃ１０４−１，Ｃ１０４−２およびサブ用平滑容量Ｃ１０４−３，Ｃ１０４−４の各々は容量値が数μＦ（マイクロファラド）であり、負荷容量Ｃ（Ｍ），Ｃ（Ｓ）の各々は容量値が数ｎＦ（ナノファラド）であるものと想定する。
【００６４】
＜ＶＣＯＭ電圧生成部１０２の内部構成＞
図１に示したＶＣＯＭ電圧生成部１０２の内部構成を図２に示す。ＶＣＯＭ電圧生成部１０２は、ラダー抵抗１１１Ｈ，１１１Ｌと、選択部１１２Ｈ，１１２Ｌと、出力端子１１３Ｈ，１１３Ｌとを含む。
【００６５】
ラダー抵抗１１１Ｈ，選択部１１２Ｈ，および出力端子１１３Ｈは、所謂、ＲＤＡＣ（Resistance Digital Analog converter）を構成している。ラダー抵抗１１１Ｈは、基準ノードＶＲＥＦＨと基準ノードＶＳＳとの間に接続され、基準ノードＶＲＥＦＨと基準ノードＶＳＳとの間の電圧を分割することによって複数の分割電圧を生成する。選択部１１２Ｈは、タイミング制御部１０１から出力された制御信号Ｓａに応じて、ラダー抵抗１１１Ｈによって生成された複数の分割電圧のうちいずれか１つを選択する。出力端子１１３Ｈは、選択部１１２Ｈによって選択された分割電圧を駆動電圧ＶＣＯＭＨとして出力する。
【００６６】
ラダー抵抗１１１Ｌ，選択部１１２Ｌ，および出力端子１１３Ｌは、所謂、ＲＤＡＣを構成している。ラダー抵抗１１１Ｌは、基準ノードＶＳＳと基準ノードＶＲＥＦＬとの間に接続され、基準ノードＶＳＳと基準ノードＶＲＥＦＬとの間の電圧を分割することによって複数の分割電圧を生成する。選択部１１２Ｌは、タイミング制御部１０１から出力された制御信号Ｓｂに応じて、ラダー抵抗１１１Ｌによって生成された複数の分割電圧のうちいずれか１つを選択する。出力端子１１３Ｌは、選択部１１２Ｌによって選択された分割電圧を駆動電圧ＶＣＯＭＬとして出力する。
【００６７】
＜動作＞
次に、図１に示した駆動電圧制御装置１による動作について説明する。駆動電圧制御装置１は、メイン液晶表示パネルの対向電極に出力すべき駆動電圧ＶＣＯＭＨ，ＶＣＯＭＬを制御するメイン液晶表示パネル駆動処理と、サブ液晶表示パネルの対向電極に出力すべき駆動電圧ＶＣＯＭＨ，ＶＣＯＭＬを制御するサブ液晶表示パネル駆動処理と、メイン液晶表示パネル駆動処理とサブ液晶表示パネル駆動処理とを切り替えるときの処理（切替処理）とを行う。
【００６８】
なお、ここでは、タイミング制御部１０１は、「メイン液晶表示パネル駆動」を示す状態指示信号ＳＴＡＴＥを受けると、電圧値「＋３Ｖ」を示す制御信号Ｓａを出力するとともに電圧値「−３Ｖ」を示す制御信号Ｓｂを出力するものとする。また、タイミング制御部１０１は、「サブ液晶表示パネル駆動」を示す状態指示信号ＳＴＡＴＥを受けると、電圧値「＋２Ｖ」を示す制御信号Ｓａを出力するとともに電圧値「−２．５Ｖ」を示す制御信号Ｓｂを出力するものとする。また、基準ノードＶＲＥＦＨの電位は「＋５Ｖ」であり、基準ノードＶＳＳの電位は「０Ｖ」であり、基準ノードＶＲＥＦＬの電位は「−５Ｖ」であるものと想定する。
【００６９】
〔メイン液晶表示パネル駆動処理〕
まず、メイン液晶表示パネル駆動処理について説明する。
【００７０】
タイミング制御部１０１は、「メイン液晶表示パネル駆動」を示す状態指示信号ＳＴＡＴＥを受けているとき、制御信号Ｓａ，ＳｂをＶＣＯＭ電圧生成部１０２に出力する。このとき、制御信号Ｓａは「＋３Ｖ」を示し制御信号Ｓｂは「−３Ｖ」を示す。
【００７１】
また、タイミング制御部１０１は、「メイン液晶表示パネル駆動」を示す状態指示信号ＳＴＡＴＥを受けているとき、制御信号Ｓ１，Ｓ２を「Ｈレベル」にし、制御信号Ｓ３，Ｓ４を「Ｌレベル」にする。これにより、スイッチＳＷ１，ＳＷ２はオンするので、メイン用平滑容量Ｃ１０４−１はノードＮ１０４−１と接続され、メイン用平滑容量Ｃ１０４−２はノードＮ１０４−２と接続される。
【００７２】
また、タイミング制御部１０１は、「メイン液晶表示パネル駆動」を示す状態指示信号ＳＴＡＴＥを受けると、制御信号Ｓ７を「Ｈレベル」にし、制御信号Ｓ８を「Ｌレベル」にする。これにより、出力端子１０５Ｓは、ノードＮ１０１Ｈに接続される。
【００７３】
次に、ＶＣＯＭ電圧生成部１０２は、タイミング制御部１０１から出力された制御信号Ｓａに応じた電圧値「＋３Ｖ」の駆動電圧ＶＣＯＭＨを生成する。また、ＶＣＯＭ電圧生成部１０２は、タイミング制御部１０１から出力された制御信号Ｓｂに応じた電圧値「−３Ｖ」の駆動電圧ＶＣＯＭＬを生成する。
【００７４】
次に、ＶＣＯＭＨ用オペアンプ１０３Ｈは、ＶＣＯＭ電圧生成部１０２によって生成された駆動電圧ＶＣＯＭＨ（＋３Ｖ）を出力する。これにより、メイン用平滑容量Ｃ１０４−１は、駆動電圧ＶＣＯＭＨ（＋３Ｖ）と接地ノード（０Ｖ）との電位差に応じた電荷を蓄積する。一方、ＶＣＯＭＬ用オペアンプ１０３Ｌは、ＶＣＯＭ電圧生成部１０２によって生成された駆動電圧ＶＣＯＭＬ（−３Ｖ）を出力する。これにより、メイン用平滑容量Ｃ１０４−２は、駆動電圧ＶＣＯＭＬ（−３Ｖ）と接地ノード（０Ｖ）との電位差に応じた電荷を蓄積する。
【００７５】
次に、タイミング制御部１０１は、タイミング信号ＴＩＭＩＮＧに応じて、制御信号Ｓ５，Ｓ６を交互に「Ｈレベル」にする。よって、出力端子１０５Ｍは、メイン用平滑容量Ｃ１０４−１に蓄積された電荷の電荷量に応じた電圧（駆動電圧ＶＣＯＭＬ（＋３Ｖ））とメイン用平滑容量Ｃ１０４−２に蓄積された電荷の電荷量に応じた電圧（駆動電圧ＶＣＯＭＬ（−３Ｖ））とを交互にメイン液晶表示パネルの対向電極（図示せず）に出力する。
【００７６】
また、スイッチＳＷ７がオンすることによって、出力端子１０５ＳはノードＮ１０１Ｈと接続されている。よって、出力端子１０５Ｓは、メイン用平滑容量Ｃ１０４−１に蓄積された電荷の電荷量に応じた電圧（駆動電圧ＶＣＯＭＬ（＋３Ｖ））をサブ液晶表示パネルの対向電極（図示せず）に出力する。
【００７７】
ここで、メイン液晶表示パネル駆動処理における、制御信号Ｓ１〜Ｓ８の電圧レベル（スイッチＳＷ１〜ＳＷ８のオン／オフ）と出力端子１０５Ｍ，１０５Ｓの各々の出力との関係について図３〜図５を参照しつつ説明する。駆動電圧制御装置１は、期間Ｔ１〜Ｔ４において、メイン液晶表示パネル駆動処理を行う。
【００７８】
期間Ｔ１〜Ｔ４において、スイッチＳＷ１，ＳＷ２はオンし続け、スイッチＳＷ３，ＳＷ４はオフし続ける（図３参照）。これにより、期間Ｔ１〜Ｔ４では、メイン用平滑容量Ｃ１０４−１はノードＮ１０４−１に接続し続け、メイン用平滑容量Ｃ１０４−２はノードＮ１０４−２に接続し続ける。よって、メイン用平滑容量Ｃ１０４−１は、ＶＣＯＭＨ用オペアンプ１０３Ｈから出力される駆動電圧ＶＣＯＭＨの電圧値（＋３Ｖ）に応じた電荷を蓄積する。また、メイン用平滑容量Ｃ１０４−２は、ＶＣＯＭＬ用オペアンプ１０３Ｌから出力される駆動電圧ＶＣＯＭＬの電圧値（−３Ｖ）に応じた電荷を蓄積する。
【００７９】
また、時刻Ｔ１〜Ｔ４において、スイッチＳＷ６，ＳＷ５は、１つの期間毎に交互にオン／オフする（図４（Ａ），（Ｂ）参照）。これにより、出力端子１０５Ｍは、メイン用平滑容量Ｃ１０４−２に蓄積された電荷の電荷量に応じた電圧（駆動電圧ＶＣＯＭＨ（−３Ｖ））とメイン用平滑容量Ｃ１０４−１に蓄積された電荷の電荷量に応じた電圧（駆動電圧ＶＣＯＭＬ（＋３Ｖ））とを１つの期間毎に交互に出力する（図５（Ａ）参照）。
【００８０】
また、期間Ｔ１〜Ｔ４において、スイッチＳＷ７がオンし続ける（図４（Ｃ）参照）。これにより、出力端子１０５Ｓは、メイン用平滑容量Ｃ１０４−１に蓄積された電荷の電荷量に応じた電圧（駆動電圧ＶＣＯＭＨ（＋３Ｖ））を出力し続ける（図５（Ｂ）参照）。
【００８１】
このように、メイン液晶表示パネル駆動処理では、メイン用平滑容量Ｃ１０４−１，Ｃ１０４−２を利用することによって、メイン液晶表示パネルに適した電圧値を有する駆動電圧ＶＣＯＭＨ（＋３Ｖ），ＶＣＯＭＬ（−３Ｖ）をメイン液晶表示パネルに供給することができる。
【００８２】
〔サブ液晶表示パネル駆動処理〕
次に、サブ液晶表示パネル駆動処理について説明する。
【００８３】
タイミング制御部１０１は、「サブ液晶表示パネル駆動」を示す状態指示信号ＳＴＡＴＥを受けているとき、制御信号Ｓａ，ＳｂをＶＣＯＭ電圧生成部１０２に出力する。このとき、制御信号Ｓａは「＋２Ｖ」を示し制御信号Ｓｂは「−２．５Ｖ」を示す。
【００８４】
また、タイミング制御部１０１は、「サブ液晶表示パネル駆動」を示す状態指示信号ＳＴＡＴＥを受けると、制御信号Ｓ１，Ｓ２を「Ｌレベル」にし、制御信号Ｓ３，Ｓ４を「Ｈレベル」にする。これにより、スイッチＳＷ３，ＳＷ４はオンするので、サブ用平滑容量Ｃ１０４−３はノードＮ１０４−３と接続され、サブ用平滑容量Ｃ１０４−４はノードＮ１０４−４と接続される。
【００８５】
また、タイミング制御部１０１は、「サブ液晶表示パネル駆動」を示す状態指示信号ＳＴＡＴＥを受けているとき、制御信号Ｓ５を「Ｈレベル」にし制御信号Ｓ６を「Ｌレベル」にする。これにより、出力端子１０５Ｍは、ノードＮ１０１Ｈに接続される。
【００８６】
次に、ＶＣＯＭ電圧生成部１０２は、タイミング制御部１０１から出力された制御信号Ｓａに応じた電圧値「＋２Ｖ」の駆動電圧ＶＣＯＭＨを生成する。また、ＶＣＯＭ電圧生成部１０２は、タイミング制御部１０１から出力された制御信号Ｓｂに応じた電圧値「−２．５Ｖ」の駆動電圧ＶＣＯＭＬを生成する。
【００８７】
次に、ＶＣＯＭＨ用オペアンプ１０３Ｈは、ＶＣＯＭ電圧生成部１０２によって生成された駆動電圧ＶＣＯＭＨ（＋２Ｖ）を出力する。これにより、サブ用平滑容量Ｃ１０４−３は、駆動電圧ＶＣＯＭＨ（＋２Ｖ）と接地ノード（０Ｖ）との電位差に応じた電荷を蓄積する。一方、ＶＣＯＭＬ用オペアンプ１０３Ｌは、ＶＣＯＭ電圧生成部１０２によって生成された駆動電圧ＶＣＯＭＬ（−２．５Ｖ）を出力する。これにより、サブ用平滑容量Ｃ１０４−４は、駆動電圧ＶＣＯＭＬ（−２．５Ｖ）と接地ノード（０Ｖ）との電位差に応じた電荷を蓄積する。
【００８８】
次に、タイミング制御部１０１は、タイミング信号ＴＩＭＩＮＧに応じて、制御信号Ｓ７，Ｓ８を交互に「Ｈレベル」にする。よって、出力端子１０５Ｓは、サブ用平滑容量Ｃ１０４−３に蓄積された電荷の電荷量に応じた電圧（駆動電圧ＶＣＯＭＨ（＋２Ｖ））とサブ用平滑容量Ｃ１０４−４に蓄積された電荷の電荷量に応じた電圧（駆動電圧ＶＣＯＭＬ（−２．５Ｖ））とを交互にサブ液晶表示パネルの対向電極（図示せず）に出力する。
【００８９】
また、スイッチＳＷ５がオンすることによって、出力端子１０５ＭはノードＮ１０１Ｈと接続されている。よって、出力端子１０５Ｍは、サブ用平滑容量Ｃ１０４−３に蓄積された電荷の電荷量に応じた電圧（駆動電圧ＶＣＯＭＨ（＋２Ｖ））をメイン液晶表示パネルの対向電極（図示せず）に出力する。
【００９０】
ここで、サブ液晶表示パネル駆動処理における、制御信号Ｓ１〜Ｓ８の電圧レベル（スイッチＳＷ１〜ＳＷ８のオン／オフ）と出力端子１０５Ｍ，１０５Ｓの各々の出力との関係について図３〜図５を参照しつつ説明する。駆動電圧制御装置１は、期間Ｔ６〜Ｔ９において、サブ液晶表示パネル駆動処理を行う。
【００９１】
期間Ｔ６〜Ｔ９において、スイッチＳＷ１，ＳＷ２はオフし続け、スイッチＳＷ３，ＳＷ４はオンし続ける（図３参照）。これにより、期間Ｔ６〜Ｔ９では、サブ用平滑容量Ｃ１０４−３はノードＮ１０４−３に接続し続け、サブ用平滑容量Ｃ１０４−４はノードＮ１０４−４に接続し続ける。よって、サブ用平滑容量Ｃ１０４−３は、ＶＣＯＭＨ用オペアンプ１０３Ｈから出力される駆動電圧ＶＣＯＭＨ（＋２Ｖ）に応じた電荷を蓄積する。また、サブ用平滑容量Ｃ１０４−４は、ＶＣＯＭＬ用オペアンプ１０３Ｌから出力される駆動電圧ＶＣＯＭＬ（−２．５Ｖ）に応じた電荷を蓄積する。
【００９２】
また、時刻Ｔ６〜Ｔ９において、スイッチＳＷ８，ＳＷ７は、１つの期間毎に交互にオン／オフする（図４（Ｃ），（Ｄ）参照）。これにより、出力端子１０５Ｓは、サブ用平滑容量Ｃ１０４−４に蓄積された電荷の電荷量に応じた電圧（駆動電圧ＶＣＯＭＨ（−２．５Ｖ））とサブ用平滑容量Ｃ１０４−３に蓄積された電荷の電荷量に応じた電圧（駆動電圧ＶＣＯＭＬ（＋２Ｖ））とを１つの期間毎に交互に出力する（図５（Ｂ）参照）。
【００９３】
また、期間Ｔ６〜Ｔ９において、スイッチＳＷ５がオンし続ける（図４（Ａ）参照）。これにより、出力端子１０５Ｍは、サブ用平滑容量Ｃ１０４−３に蓄積された電荷の電荷量に応じた電圧（駆動電圧ＶＣＯＭＨ（＋２Ｖ））を出力し続ける（図５（Ａ）参照）。
【００９４】
このように、サブ液晶表示パネル駆動処理では、サブ用平滑容量Ｃ１０４−３，Ｃ１０４−４を利用することによって、サブ液晶表示パネルに適した電圧値を有する駆動電圧ＶＣＯＭＨ（＋２Ｖ），ＶＣＯＭＬ（−２．５Ｖ）をサブ液晶表示パネルに供給することができる。
【００９５】
〔切替処理〕
次に、切替処理について説明する。
【００９６】
まず、駆動電圧制御装置１は、メイン液晶表示パネル駆動処理を行っているとする。この場合、タイミング制御部１０１は、制御信号Ｓ１，Ｓ２，Ｓ７を「Ｈレベル」にし制御信号Ｓ３，Ｓ４，Ｓ８を「Ｌレベル」にしている。また、タイミング制御部１０１は、タイミング信号ＴＩＭＩＮＧに応じて制御信号Ｓ１，Ｓ２を交互に「Ｈレベル」にしている（図３，図４の期間Ｔ１〜Ｔ４）。
【００９７】
ここで、タイミング制御部１０１が「サブ液晶表示パネル駆動」を示す状態指示信号ＳＴＡＴＥを受けると、タイミング制御部１０１は、制御信号Ｓ１〜Ｓ４を「Ｌレベル」にする（図３の期間Ｔ５参照）。これにより、メイン用平滑容量Ｃ１０４−１，Ｃ１０４−２およびサブ用平滑容量Ｃ１０４−３，Ｃ１０４−４はいずれも、対応するノードから切り離された状態（遮断された状態）になる。
【００９８】
次に、タイミング制御部１０１は、状態指示信号ＳＴＡＴＥに応じて、制御信号Ｓａ，ＳｂをＶＣＯＭ電圧生成部１０２へ出力する。これにより、ＶＣＯＭ電圧生成部１０２は、駆動電圧ＶＣＯＭＨの電圧値を「＋３Ｖ」から「＋２Ｖ」に変更し、駆動電圧ＶＣＯＭＬの電圧値を「−３Ｖ」から「−２．５Ｖ」に変更する。
【００９９】
ＶＣＯＭ電圧生成部１０２によって電圧値「＋２Ｖ」の駆動電圧ＶＣＯＭＨおよび電圧値「−２．５Ｖ」の駆動電圧ＶＣＯＭＬが生成されると、サブ液晶表示パネル駆動処理が行われる。つまり、タイミング制御部１０１は、制御信号Ｓ３，Ｓ４を「Ｈレベル」にする（図３の期間Ｔ６〜Ｔ９参照）。これにより、サブ用平滑容量Ｃ１０４−３，Ｃ１０４−４がノードＮ１０４−３，Ｎ１０４−４に接続されて、サブ用平滑容量Ｃ１０４−３はＶＣＯＭＨ用オペアンプ１０３Ｈから出力された駆動電圧ＶＣＯＭＨ（＋２Ｖ）の電圧値に応じた電荷を蓄積し、サブ用平滑容量Ｃ１０４−４はＶＣＯＭＬ用オペアンプ１０３Ｌから出力された駆動電圧ＶＣＯＭＬ（−２．５Ｖ）の電圧値に応じた電荷を蓄積する。
【０１００】
また、タイミング制御部１０１は、制御信号Ｓ５を「Ｈレベル」にし制御信号Ｓ６を「Ｌレベル」にするとともに、タイミング信号ＴＩＭＩＮＧに応じて制御信号Ｓ３，Ｓ４を交互に「Ｈレベル」にする（図３,図４の期間Ｔ６〜Ｔ９参照）。
【０１０１】
次に、サブ液晶表示パネル駆動処理における動作と同様の動作が行われる。
【０１０２】
ここで、切替処理における、制御信号Ｓ１〜Ｓ８の電圧レベル（スイッチＳＷ１〜ＳＷ８のオン／オフ）と出力端子１０５Ｍ，１０５Ｓの各々の出力との関係について図３〜図５を参照しつつ説明する。駆動電圧制御装置１は、期間Ｔ５において、切替処理を行う。
【０１０３】
期間Ｔ５において、スイッチＳＷ１〜ＳＷ４はオフし続ける（図３参照）。これにより、メイン用平滑容量Ｃ１０４−１は、駆動電圧ＶＣＯＭＨの電圧値（＋３Ｖ）に応じた電荷を蓄積したままノードＮ１０４−１から切り離される。また、メイン用平滑容量Ｃ１０４−２は、駆動電圧ＶＣＯＭＬの電圧値（−３Ｖ）に応じた電荷を蓄積したままノードＮ１０４−２から切り離される。
【０１０４】
また、期間Ｔ５において、スイッチＳＷ７はオンしている（図４（Ｃ）参照）。また、ＶＣＯＭＨ用オペアンプ１０３Ｈから出力される駆動電圧ＶＣＯＭＨの電圧値が「＋３Ｖ」から「＋２Ｖ」に変更されるので、ノードＮ１０１Ｈの電位は「＋３Ｖ」から「＋２Ｖ」になる。よって、出力端子１０５Ｓの出力は、「＋３Ｖ」から「＋２Ｖ」に移り変わっていく（図５（Ｂ）参照）。
【０１０５】
また、時刻Ｔ５において、スイッチＳＷ６はオンしており、スイッチＳＷ５はオフしている。また、ＶＣＯＭＨ用オペアンプ１０３Ｈから出力される駆動電圧ＶＣＯＭＨの電圧値が「＋３Ｖ」から「＋２Ｖ」に変更されるので、ノードＮ１０１Ｈの電位は「＋３Ｖ」から「＋２Ｖ」になる。よって、出力端子１０５Ｍの出力は「＋３Ｖ」から「＋２Ｖ」に移り変わっていく（図５（Ａ）参照）。
【０１０６】
また、駆動電圧制御装置１が駆動対象をサブ液晶表示パネルからメイン液晶表示パネルに切り替える時も、同様の動作が行われる。つまり、タイミング制御部１０１が制御信号Ｓ１〜Ｓ４を「Ｌレベル」にすることによって、サブ用平滑容量Ｃ１０４−３は駆動電圧ＶＣＯＭＨの電圧値（＋２Ｖ）に応じた電荷を蓄積したままノードＮ１０４−３から切り離され、サブ用平滑容量Ｃ１０４−４は、駆動電圧ＶＣＯＭＬの電圧値（−２．５Ｖ）に応じた電荷を蓄積したままノードＮ１０４−４から切り離される。
【０１０７】
なお、メイン液晶表示パネル駆動処理とサブ液晶表示パネル駆動処理とを切り替える周期（反転周期）は、液晶表示パネルとその液晶表示パネルの駆動方法に応じて決定すれば良い。例えば、駆動方式が「フレーム反転駆動方式」である場合には反転周期は「１／６０Ｈｚ（＝１６．６７ｍｓ）」である。また、例えば、駆動方式が「Ｎライン反転駆動（Ｎは自然数）」である場合には反転周期は「（１／６０Ｈｚ）×（１／（ライン数））×Ｎ」（ライン数が３２０であり、１ライン反転駆動である場合には反転周期は「５２．０８μｓ」）である。
【０１０８】
＜効果＞
以上のように、切替期間（期間Ｔ５）では、メイン用平滑容量Ｃ１０４−１，Ｃ１０４−２およびサブ用平滑容量Ｃ１０４−３，Ｃ１０４−４は、対応するノードから切り離されるので、平滑容量Ｃ１０４−１〜Ｃ１０４−４の各々が蓄積する電荷は充放電されない。これにより、電荷の無駄な消費を低減することができる。
【０１０９】
また、駆動対象の切替が行われる期間（期間Ｔ５）では、ＶＣＯＭＨ用オペアンプ１０３ＨおよびＶＣＯＭＬ用オペアンプ１０３Ｌが充放電する対象は、各々の表示パネルに存在する液晶素子（図１では、負荷容量Ｃ（Ｍ），Ｃ（Ｓ））である。表示パネルの負荷容量Ｃ（Ｍ），Ｃ（Ｓ）の容量値は、駆動電圧制御装置のメイン用平滑容量Ｃ１０４−１，Ｃ１０４−２，サブ用平滑容量Ｃ１０４−３，Ｃ１０４−４の容量値よりもかなり小さい。よって、ＶＣＯＭＨ用オペアンプ１０３ＨおよびＶＣＯＭＬ用オペアンプ１０３Ｌの駆動能力を高くすることなく駆動対象の切替を迅速に行うことができる（つまり、期間Ｔ５を短縮することができる）。
【０１１０】
また、駆動電圧制御装置１は、駆動対象になっていない表示パネルの対向電極の電位を駆動電圧ＶＣＯＭＨによって固定する。このように、液晶表示パネルの対向電極の電位をＤＣ電圧（ここでは、駆動電圧ＶＣＯＭＨ）によって固定すれば、駆動していない表示パネルにおける視覚上の違和感を低減することができる。
【０１１１】
なお、図３〜図５では期間Ｔ１〜Ｔ９の各々は、等しい時間単位で区切られているが、必ずしもそうする必要はない。
【０１１２】
また、ＶＣＯＭ電圧生成部１０２の内部構成は、図２に示した構成に限らない。例えば、基準ノードＶＲＥＦＨと基準ノードＶＲＥＦＬとの間に１つのラダー抵抗を接続し、そのラダー抵抗によって生成された分割電圧から２つの分割電圧を選択する選択部を設ける構成も可能である。この場合、選択部によって選択された２つの分割電圧を、それぞれ、駆動電圧ＶＣＯＭＨ，ＶＣＯＭＬとして出力すればいい。
【０１１３】
また、本実施形態では、駆動対象になっていない表示パネルの対向電極の電位を駆動電圧ＶＣＯＭＨによって固定しているが、駆動対象になっていない表示パネルの対向電極の電位を駆動電圧ＶＣＯＭＬによって固定する場合も同様の効果を得ることができる。この場合、メイン液晶表示パネル駆動処理において、スイッチＳＷ７をオンにするのではなくスイッチＳＷ８をオンにすればいい。同様に、サブ液晶表示パネル駆動処理において、スイッチＳＷ５をオンにするのではなくスイッチＳＷ６をオンにすればいい。
【０１１４】
（第２の実施形態）
図１に示した駆動電圧制御装置１では、メイン液晶表示パネルの交流化駆動を行っている期間（図３〜図５の期間Ｔ１〜Ｔ４）では、スイッチＳＷ７がオンになることによってサブ液晶表示パネルの対向電極の電位を駆動電圧ＶＣＯＭＨの電圧値（＋３Ｖ）に固定している。一方、サブ液晶表示パネルの交流化駆動を行っている期間（図３〜図５の期間Ｔ６〜Ｔ９）では、サブ液晶表示パネルの対向電極の電位は、駆動電圧ＶＣＯＭＨの電圧値（＋２Ｖ）から駆動電圧ＶＣＯＭＬの電圧値（−２．５Ｖ）まで変動する。このように、非駆動時（サブ液晶表示パネルの非表示時）のときに、サブ液晶表示パネルにとって適切な電圧が与えられないことになるので、視覚上で不自然に感じる場合も想定できた。
【０１１５】
また、非駆動時において表示パネルの対向電極の電位を固定している駆動電圧の電圧値が駆動時において表示パネルの対向電極に与えられる駆動電圧の電圧値よりも大きい場合、表示パネルが破壊されるおそれがあるので、表示パネルの耐圧を高くする必要がある。
【０１１６】
＜全体構成＞
この発明の第２の実施形態による駆動電圧制御装置２の全体構成を図６に示す。この装置２は、図１に示したタイミング制御部１０１に代えてタイミング制御部２０１を備え、スイッチＳＷ９，ＳＷ１０をさらに備える。その他の構成は図１と同様である。
【０１１７】
タイミング制御部２０１は、タイミング制御部１０１と同様に、外部から状態指示信号ＳＴＡＴＥ，切替タイミング信号ＴＩＭＩＮＧを受け、制御信号Ｓａ，Ｓｂ，Ｓ１〜Ｓ８を出力する。制御信号Ｓａ，Ｓｂ，Ｓ１〜Ｓ８は図１に示したものと同様である。また、タイミング制御部２０１は、外部から状態指示信号ＳＴＡＴＥを受け、制御信号Ｓ９，Ｓ１０を出力する。
【０１１８】
スイッチＳＷ９は、スイッチＳＷ３とサブ用平滑容量Ｃ１０４−３との相互接続ノードＮ２０２−３と出力端子１０５Ｓとの間に接続される。スイッチＳＷ１０は、スイッチＳＷ１とメイン用平滑容量Ｃ１０４−１との相互接続ノードＮ２０２−１と出力端子１０５Ｍとの間に接続される。
【０１１９】
スイッチＳＷ９，ＳＷ１０の各々は、タイミング制御部２０１から出力された制御信号Ｓ９，Ｓ１０が「Ｈレベル」であるときにはオンになり、タイミング制御部２０１から出力された制御信号Ｓ９，Ｓ１０が「Ｌレベル」であるときにはオフになる。
【０１２０】
＜動作＞
次に、図６に示した駆動電圧制御装置２による動作について説明する。この装置２による動作は、タイミング制御部２０１，スイッチＳＷ９，ＳＷ１０による動作以外は、図１に示した駆動電圧制御装置１による動作と同様である。
【０１２１】
〔メイン液晶表示パネル駆動処理〕
タイミング制御部２０１は、「メイン液晶表示パネル駆動」を示す状態指示信号ＳＴＡＴＥを受けているとき、制御信号Ｓ９を「Ｈレベル」にし、制御信号Ｓ１０を「Ｌレベル」にする。これにより、出力端子１０５Ｓは、ノードＮ２０２−３に接続される。また、サブ用平滑容量Ｃ１０４−３は、駆動電圧ＶＣＯＭＨの電圧値（＋２Ｖ）に応じた電荷を蓄積している。よって、出力端子１０５Ｓは、サブ用平滑容量Ｃ１０４−３に蓄積された電荷の電荷量に応じた電圧（駆動電圧ＶＣＯＭＨ（＋２Ｖ））を出力する。これにより、期間Ｔ１〜Ｔ４では、出力端子１０５Ｓの出力は、図７（Ｂ）のようになる。
【０１２２】
〔サブ液晶表示パネル駆動処理〕
タイミング制御部２０１は、「サブ液晶表示パネル駆動」を示す状態指示信号ＳＴＡＴＥを受けているとき、制御信号Ｓ９を「Ｌレベル」にし、制御信号Ｓ１０を「Ｈレベル」にする。これにより、出力端子１０５Ｍは、ノードＮ２０２−１に接続される。また、メイン用平滑容量Ｃ１０４−１は、駆動電圧ＶＣＯＭＨの電圧値（＋３Ｖ）に応じた電荷を蓄積している。よって、出力端子１０５Ｍは、メイン用平滑容量Ｃ１０４−１に蓄積された電荷の電荷量に応じた電圧（駆動電圧ＶＣＯＭＨ（＋３Ｖ））を出力する。これにより、期間Ｔ６〜Ｔ９では、出力端子１０５Ｍの出力は、図７（Ａ）のようになる。
【０１２３】
＜効果＞
以上のように、駆動していないメイン液晶表示パネルの対向電極の電位は、駆動時にそのパネルに与えられる駆動電圧ＶＣＯＭＨの電圧値によって固定される。また、駆動していないサブ液晶表示パネルの対向電極の電位は、駆動時にそのパネルに与えられる駆動電圧ＶＣＯＭＨの電圧値によって固定される。このように、駆動対象でない液晶表示パネルの対向電極の電位をその液晶表示パネルに適した電圧（駆動電圧ＶＣＯＭＨ）によって固定する。これにより、視覚上の違和感を低減することができる。
【０１２４】
また、非駆動時において表示パネルの対向電極の電位を固定している駆動電圧の電圧値が駆動時において表示パネルの対向電極に与えられる駆動電圧の電圧値以下にすることによって、液晶表示パネルの耐圧を高くする必要がなくなる。
【０１２５】
なお、駆動対象でない液晶表示パネルの対向電極の電位を、駆動時においてその液晶表示パネルの対向電極に与えられる駆動電圧ＶＣＯＭＬによって固定する場合も、同様の効果を得ることができる。
【０１２６】
＜変形例＞
この発明の第２の実施形態による駆動電圧制御装置２−１を図８に示す。この装置２−１では、図６に示したスイッチＳＷ９，ＳＷ１０の接続が異なる。その他の構成は図６と同様である。
【０１２７】
スイッチＳＷ９は、スイッチＳＷ４とサブ用平滑容量Ｃ１０４−４との相互接続ノードＮ２０２−４と出力端子１０５Ｓとの間に接続される。スイッチＳＷ１０は、スイッチＳＷ２とメイン用平滑容量Ｃ１０４−２との相互接続ノードＮ２０２−２と出力端子１０５Ｍとの間に接続される。
【０１２８】
次に、図８に示した駆動電圧制御装置２−１による動作について説明する。
【０１２９】
〔メイン液晶表示パネル駆動処理〕
タイミング制御部２０１は、「メイン液晶表示パネル駆動」を示す状態指示信号ＳＴＡＴＥを受けているとき、制御信号Ｓ９を「Ｈレベル」にし、制御信号Ｓ１０を「Ｌレベル」にする。これにより、出力端子１０５Ｓは、ノードＮ２０２−４に接続される。また、サブ用平滑容量Ｃ１０４−４は、駆動電圧ＶＣＯＭＬの電圧値（−２．５Ｖ）に応じた電荷を蓄積している。よって、出力端子１０５Ｓは、サブ用平滑容量Ｃ１０４−４に蓄積された電荷の電荷量に応じた電圧（駆動電圧ＶＣＯＭＬ（−２．５Ｖ））を出力する。
【０１３０】
〔サブ液晶表示パネル駆動処理〕
タイミング制御部２０１は、「サブ液晶表示パネル駆動」を示す状態指示信号ＳＴＡＴＥを受けているとき、制御信号Ｓ９を「Ｌレベル」にし、制御信号Ｓ１０を「Ｈレベル」にする。これにより、出力端子１０５Ｍは、ノードＮ２０２−２に接続される。また、メイン用平滑容量Ｃ１０４−２は、駆動電圧ＶＣＯＭＬの電圧値（−３Ｖ）に応じた電荷を蓄積している。よって、出力端子１０５Ｍは、メイン用平滑容量Ｃ１０４−２に蓄積された電荷の電荷量に応じた電圧（駆動電圧ＶＣＯＭＬ（＋３Ｖ））を出力する。
【０１３１】
このようにして、駆動対象でない液晶表示パネルの対向電極の電位は、駆動時においてその液晶表示パネルの対向電極に与えられる駆動電圧ＶＣＯＭＬによって固定される。
【０１３２】
（第３の実施形態）
＜全体構成＞
この発明の第３の実施形態による表示装置３の全体構成を図９に示す。この装置３は、メイン液晶表示パネル駆動装置３０Ｍと、サブ液晶表示パネル駆動装置３０Ｓと、図１に示した駆動電圧制御装置１とを備える。
【０１３３】
＜メイン液晶表示パネル駆動装置３０Ｍ＞
図９に示したメイン液晶表示パネル駆動装置３０Ｍは、メイン液晶表示パネル３１１Ｍと、制御部３１２Ｍと、ソースドライバ３１３Ｍと、ゲートドライバ３１４Ｍとを含む。メイン液晶表示パネル装置３０Ｍは、所謂、アクティブマトリックス方式によって、表示パネル３１１Ｍを駆動する。
【０１３４】
メイン液晶表示パネル３１１Ｍには、Ｘ本（Ｘは自然数）のデータ線ＤＭ−１〜ＤＭ−Ｘと、Ｙ本（Ｙは自然数）のゲート線ＧＭ−１〜ＧＭ−Ｙと、対向電極ＣＯＭＭＯＮ（Ｍ）と、（Ｘ×Ｙ）個の液晶回路ＬＣがマトリックス状に形成されている。液晶回路ＬＣは、スイッチング素子（例えばＴＦＴ（thin film transistor））と、液晶素子とを含む。
【０１３５】
制御部３１２Ｍは、「メイン液晶表示パネル駆動」を示す状態指示信号ＳＴＡＴＥを受けると駆動する。また、制御部３１２Ｍは、ソースドライバ３１３Ｍに表示データＤＡＴＡを出力する。また、制御部３１２Ｍは、ゲートドライバ３１４Ｍに走査制御信号ＬＩＮＥを出力する。表示データＤＡＴＡは、階調レベルを示す。
【０１３６】
ソースドライバ３１３Ｍは、制御部３１２Ｍから出力された表示データＤＡＴＡに応じた電圧値を有するデータ信号をメイン液晶表示パネル３１１Ｍのデータ線ＤＭ−１〜ＤＭ−Ｘに供給する。
【０１３７】
ゲートドライバ３１４Ｍは、制御部３１２Ｍから出力された走査制御信号ＬＩＮＥに応じたゲート信号をメイン液晶表示パネル３１１Ｍのゲート線ＧＭ−１〜ＧＭ−Ｙに供給する。
【０１３８】
液晶回路ＬＣに含まれるスイッチング素子は、自己に対応するゲート線にゲート信号が与えられると、活性化する。これにより、その液晶回路ＬＣに含まれる液晶素子は、自己に対応するデータ線に供給されたデータ信号を受ける。また、その液晶回路ＬＣに含まれる液晶素子は、対向電極ＣＯＭＭＯＮ（Ｍ）に供給された駆動電圧ＶＣＯＭＨ（またはＶＣＯＭＬ）を受ける。よって、その液晶素子は、データ線に与えられたデータ信号の電圧値と対向電極に与えられた駆動電圧ＶＣＯＭＨ（またはＶＣＯＭＬ）の電圧値との差に応じた透過率を示す。
【０１３９】
このように、メイン液晶表示パネル装置３０Ｍは、表示パネル３１１Ｍに形成された液晶素子の焼き付き防止のために、交流化駆動方式（ライン対向反転駆動方式）によって駆動する。
【０１４０】
＜サブ液晶表示パネル駆動装置３０Ｓ＞
図９に示したサブ液晶表示パネル駆動装置３０Ｓは、図９に示したメイン液晶表示パネル駆動装置３０Ｍと同様の構成であり、サブ液晶表示パネル３１１Ｓと、制御部３１２Ｓと、ソースドライバ３１３Ｓと、ゲートドライバ３１４Ｓとを含む。なお、ここでは、サブ液晶表示パネル３１１Ｓには、Ｐ本（Ｐは自然数：Ｐ＜Ｘ）のデータ線ＤＳ−１〜ＤＳ−Ｐと、Ｑ本（Ｑは自然数：Ｑ＜Ｙ）のゲート線ＧＳ−１〜ＧＳ−Ｑと、対向電極ＣＯＭＭＯＮ（Ｓ）と、（Ｐ×Ｑ）個の液晶回路ＬＣがマトリックス状に形成されている。また、制御部３１２Ｓは、「サブ液晶表示パネル駆動」を示す状態指示信号ＳＴＡＴＥを受けると、駆動する。
【０１４１】
＜動作＞
次に、図９に示した表示装置３による動作について説明する。
【０１４２】
〔メイン液晶表示パネル駆動処理〕
制御部３１２Ｍは、「メイン液晶表示パネル駆動」を示す状態指示信号ＳＴＡＴＥを受けると、表示データＤＡＴＡをソースドライバ３１３Ｍに出力するとともにゲートドライバ３１４Ｍに走査制御信号ＬＩＮＥを出力する。このとき、制御部３１２Ｓは駆動しない。
【０１４３】
ソースドライバ３１３Ｍは、制御部３１２から出力された表示データＤＡＴＡに応じて、データ信号をデータ線ＤＭ−１〜ＤＭ−Ｘに供給する。
【０１４４】
一方、駆動電圧制御装置１は、タイミング信号ＴＩＭＩＮＧに応じて、駆動電圧ＶＣＯＭＨ（＋３Ｖ）と駆動電圧ＶＣＯＭＬ（−３Ｖ）とを交互に表示パネル３１１Ｍの対向電極ＣＯＭＭＯＮ（Ｍ）に対して出力する。
【０１４５】
〔サブ液晶表示パネル駆動処理〕
制御部３１２Ｓは、「サブ液晶表示パネル駆動」を示す状態指示信号ＳＴＡＴＥを受けると、表示データＤＡＴＡをソースドライバ３１３Ｓに出力するとともにゲートドライバ３１４Ｓに走査制御信号ＬＩＮＥを出力する。このとき、制御部３１２Ｍは駆動しない。
【０１４６】
ソースドライバ３１３Ｓは、ソースドライバ３１３Ｍと同様の動作を行う。
【０１４７】
一方、駆動電圧制御装置１は、タイミング信号ＴＩＭＩＮＧに応じて、駆動電圧ＶＣＯＭＨ（＋２Ｖ）と駆動電圧ＶＣＯＭＬ（−２．５Ｖ）とを交互に表示パネル３１１Ｓの対向電極ＣＯＭＭＯＮ（Ｓ）に対して出力する。
【０１４８】
＜効果＞
以上のように、１つの駆動電圧制御装置によって２つの表示パネルを駆動することができるので、表示装置の回路規模を低減することができる。また、駆動電圧制御装置１は電荷の無駄な消費を低減することができるので、表示装置の電力消費量を少なくすることができる。さらに、駆動電圧制御装置１はモード切替を迅速に行うことができるので、液晶表示パネル３１１Ｍ，３１１Ｓの各々を素早く駆動することができる。
【０１４９】
また、駆動電圧制御装置１に代えて、図６，図８に示した駆動電圧制御装置２，２−１を用いても同様の効果を得ることができる。
【０１５０】
尚、以上の実施の形態の説明において、携帯電話におけるメイン液晶表示パネルとサブ液晶表示パネルを共通に交流化駆動する例を挙げたが、本発明の趣旨はこれに限定されるものではない。つまり、携帯電話以外の装置に対しても応用可能である。
【０１５１】
また、本発明の駆動電圧制御装置は、３つの液晶表示パネルの各々に対して駆動電圧ＶＣＯＭＨ，ＶＣＯＭＬを供給することが可能である。この場合、具体的には、図１に示した構成に加えて、新たな出力端子（図１の出力端子１０５Ｍ（または１０５Ｓ）に相当する出力端子）を設け、その出力端子とＶＣＯＭＨ用オペアンプ１０３Ｈとの間に新たなスイッチ（図１のスイッチＳＷ５（またはＳＷ７）に相当するスイッチ）を設け、その出力端子とＶＣＯＭＬ用オペアンプ１０３Ｌとの間に新たなスイッチ（図１のスイッチＳＷ６（またはＳＷ８）に相当するスイッチ）を設ければいい。これにより、３系統以上の駆動電圧ＶＣＯＭＨ，ＶＣＯＭＬを生成することも可能である。
【０１５２】
また、実施形態の説明では、基準ノードＶＲＥＦＨの電圧値が「＋５Ｖ」であり基準電圧ＶＳＳの電圧値が「０Ｖ」であり基準ノードＶＲＥＦＬの電圧値が「−５Ｖ」であるものとして説明したが、駆動する液晶表示パネルの性質に応じて、任意の電圧間を分割するものであって良い。また、メイン液晶表示パネル駆動処理のときには駆動電圧ＶＣＯＭＨの電圧値が「＋３Ｖ」であり駆動電圧ＶＣＯＭＬの電圧値が「−３Ｖ」であるものとし、サブ液晶表示パネル駆動処理のときには駆動電圧ＶＣＯＭＨの電圧値が「＋２Ｖ」であり駆動電圧ＶＣＯＭＬの電圧値が「−２．５Ｖ」であるものとして説明したが、これらについても駆動する液晶表示パネルの性質に応じて、適宜に変更するものであって良いことは言うまでも無い。
【産業上の利用可能性】
【０１５３】
本発明の駆動電圧制御装置は、モード切替時における電荷の無駄な消費をなくすことができ、かつ、第１のモードと第２のモードとの切替を迅速に行うことができるので、複数の液晶表示パネルを駆動する駆動電圧制御装置等として有用である。
【図面の簡単な説明】
【０１５４】
【図１】この発明の第１の実施形態による駆動電圧制御装置の全体構成を示す図である。
【図２】図１に示したＶＣＯＭ電圧生成部１０２の内部構成を示す図である。
【図３】制御信号Ｓ１〜Ｓ４の出力を示す波形図である。
【図４】制御信号Ｓ５〜Ｓ８の出力を示す波形図である。
【図５】（Ａ）出力端子１０５Ｍの出力を示す波形図である。（Ｂ）出力端子１０５Ｓの出力を示す波形図である。
【図６】この発明の第２の実施形態による駆動電圧制御装置の全体構成を示す図である。
【図７】（Ａ）出力端子１０５Ｍの出力を示す波形図である。（Ｂ）出力端子１０５Ｓの出力を示す波形図である。
【図８】この発明の第２の実施形態の変形例による駆動電圧制御装置の全体構成を示す図である。
【図９】この発明の第３の実施形態による表示装置の全体構成を示す図である。
【図１０】従来の駆動電圧制御装置の全体構成を示す図である。
【図１１】（Ａ）出力端子９０５Ｍの出力を示す波形図である。（Ｂ）出力端子９０５Ｓの出力を示す波形図である。
【符号の説明】
【０１５５】
１，２，２−１    駆動電圧制御装置
１０１，２０１，９０１    タイミング制御部
１０２，９０２    ＶＣＯＭ電圧生成部
１０３Ｈ，９０３Ｈ    ＶＣＯＭＨ用オペアンプ
１０３Ｌ，９０３Ｌ    ＶＣＯＭＬ用オペアンプ
Ｃ１０４−１，Ｃ１０４−２，Ｃ９０４−１，Ｃ９０４−２    メイン用平滑容量
Ｃ１０４−３，Ｃ１０４−４，Ｃ９０４−３，Ｃ９０４−４    サブ用平滑容量
１０５Ｍ，１０５Ｓ，９０５Ｍ，９０５Ｓ    出力端子
ＳＷ１〜ＳＷ８，ＳＷ９，ＳＷ１０    スイッチ
Ｓａ，Ｓｂ，Ｓ１〜Ｓ８，Ｓ９，Ｓ１０    制御信号
３    表示装置
３１１Ｍ，３１１Ｓ    液晶表示パネル
３１２Ｍ，３１２Ｓ    制御部
３１３Ｍ，３１３Ｓ    ソースドライバ
３１４Ｍ，３１４Ｓ    ゲートドライバ
【図１】
2005293553.tif 000003
【図２】
2005293553.tif 000004
【図３】
2005293553.tif 000005
【図４】
2005293553.tif 000006
【図５】
2005293553.tif 000007
【図６】
2005293553.tif 000008
【図７】
2005293553.tif 000009
【図８】
2005293553.tif 000010
【図９】
2005293553.tif 000011
【図１０】
2005293553.tif 000012
【図１１】
2005293553.tif 000013